(57)【特許請求の範囲】
【請求項１】
ＷＬＡＮ（ｗｉｒｅｌｅｓｓ  ｌｏｃａｌ  ａｒｅａ  ｎｅｔｗｏｒｋ）システムにおけるステーション（ＳＴＡ）による空間再使用動作のための方法であって、前記方法は、
無線媒体を介してＷＬＡＮフレームを受信することと、
前記ＷＬＡＮフレームの受信されたパワーレベルが第１ＣＣＡ（ｃｌｅａｒ  ｃｈａｎｎｅｌ  ａｓｓｅｓｓｍｅｎｔ）レベルを超えるかに基づいて前記無線媒体の状態を決定することと
を含み、
前記方法は、
前記受信されたＷＬＡＮフレームが前記ＳＴＡが属している第１ＢＳＳ（ｂａｓｉｃ  ｓｅｒｖｉｃｅ  ｓｅｔ）からのものであるか前記第１ＢＳＳ以外の第２ＢＳＳからのものであるかを決定することと、
前記受信されたＷＬＡＮフレームが前記第２ＢＳＳからのものであるとき、および、前記ＷＬＡＮフレームの前記受信されたパワーレベルが第２ＣＣＡレベル未満であるとき、空間再使用のために前記媒体に接続することと
をさらに備えることを特徴とし、
前記第２ＣＣＡレベルは、前記第１ＣＣＡレベルよりも高い、方法。
【請求項２】
前記ＳＴＡは、前記受信されたＷＬＡＮフレームの発信地住所および目的地住所のうちの少なくとも１つに基づいて、前記受信されたＷＬＡＮフレームが前記第１ＢＳＳからのものであるか前記第２ＢＳＳからのものであるかを決定する、請求項１に記載の方法。
【請求項３】
前記受信されたＷＬＡＮフレームがＶＨＴ  ＰＰＤＵ（Ｖｅｒｙ  Ｈｉｇｈ  Ｔｈｒｏｕｇｈｐｕｔ  Ｐｈｙｓｉｃａｌ  Ｐｒｏｔｏｃｏｌ  Ｄａｔａ  Ｕｎｉｔ）フレームであるとき、前記ＳＴＡは、グループＩＤが０に等しい前記ＶＨＴ  ＰＰＤＵフレームの部分ＡＩＤ（Ａｓｓｏｃｉａｔｉｏｎ  ＩＤ）が前記ＳＴＡが結合されたアクセスポイント（ＡＰ）のＢＳＳＩＤ（Ｂａｓｉｃ  Ｓｅｒｖｉｃｅ  Ｓｅｔ  ＩＤ）に対応するかに基づいて、前記受信されたＶＨＴ  ＰＰＤＵフレームが前記第１ＢＳＳからのものであるか前記第２ＢＳＳからのものであるかを決定する、請求項１に記載の方法。
【請求項４】
前記第２ＣＣＡレベルが適用されるＢＳＳリストを伴って前記第２ＣＣＡレベルに関する情報を受信することをさらに含む、請求項１に記載の方法。
【請求項５】
前記情報は、前記ＳＴＡが結合されたＡＰから、ビーコンフレーム、プロブ応答フレームおよび連関応答フレームのうちの１つ以上を介して受信される、請求項４に記載の方法。
【請求項６】
ＷＬＡＮ（ｗｉｒｅｌｅｓｓ  ｌｏｃａｌ  ａｒｅａ  ｎｅｔｗｏｒｋ）システムにおける空間再使用動作のためのステーション（ＳＴＡ）であって、前記ＳＴＡは、
無線媒体を介してＷＬＡＮフレームを受信するように構成される送受信機と、
前記ＷＬＡＮフレームの受信されたパワーレベルが第１ＣＣＡ（ｃｌｅａｒ  ｃｈａｎｎｅｌ  ａｓｓｅｓｓｍｅｎｔ）レベルを超えるかに基づいて前記無線媒体の状態を決定するように構成されるプロセッサと
を備え、
前記ＳＴＡは、
前記受信されたＷＬＡＮフレームが前記ＳＴＡが属している第１ＢＳＳ（ｂａｓｉｃ  ｓｅｒｖｉｃｅ  ｓｅｔ）からのものであるか前記第１ＢＳＳ以外の第２ＢＳＳからのものであるかを決定することと、
前記受信されたＷＬＡＮフレームが前記第２ＢＳＳからのものであるとき、および、前記ＷＬＡＮフレームの前記受信されたパワーレベルが第２ＣＣＡレベル未満であるとき、空間再使用のために前記媒体に接続することと
を実行するように前記プロセッサがさらに構成されていることを特徴とし、
前記第２ＣＣＡレベルは、前記第１ＣＣＡレベルよりも高い、ＳＴＡ。
【請求項７】
前記プロセッサは、前記受信されたＷＬＡＮフレームの発信地住所および目的地住所のうちの少なくとも１つに基づいて、前記受信されたＷＬＡＮフレームが前記第１ＢＳＳからのものであるか前記第２ＢＳＳからのものであるかを決定する、請求項６に記載のＳＴＡ。
【請求項８】
前記受信されたＷＬＡＮフレームがＶＨＴ  ＰＰＤＵ（Ｖｅｒｙ  Ｈｉｇｈ  Ｔｈｒｏｕｇｈｐｕｔ  Ｐｈｙｓｉｃａｌ  Ｐｒｏｔｏｃｏｌ  Ｄａｔａ  Ｕｎｉｔ）フレームであるとき、前記プロセッサは、グループＩＤが０に等しい前記ＶＨＴ  ＰＰＤＵフレームの部分ＡＩＤ（Ａｓｓｏｃｉａｔｉｏｎ  ＩＤ）が前記ＳＴＡが結合されたアクセスポイント（ＡＰ）のＢＳＳＩＤ（Ｂａｓｉｃ  Ｓｅｒｖｉｃｅ  Ｓｅｔ  ＩＤ）に対応するかに基づいて、前記受信されたＶＨＴ  ＰＰＤＵフレームが前記第１ＢＳＳからのものであるか前記第２ＢＳＳからのものであるかを決定する、請求項６に記載のＳＴＡ。
【請求項９】
前記送受信機は、さらに、前記第２ＣＣＡレベルが適用されるＢＳＳリストを伴って前記第２ＣＣＡレベルに関する情報を受信するように構成される、請求項６に記載のＳＴＡ。
【請求項１０】
前記情報は、前記ＳＴＡが結合されたＡＰから、ビーコンフレーム、プロブ応答フレームおよび連関応答フレームのうちの１つ以上を介して受信される、請求項９に記載のＳＴＡ。
【発明の詳細な説明】
【技術分野】
【０００１】
以下の説明は無線通信システム、特に無線ＬＡＮシステムにおける空間再使用率を高めるために該当の媒体（例えば、チャネル）の使用可否を判定する方法及びそのための装置に関するものである。
【背景技術】
【０００２】
以下に提案する信号伝送方法は多様な無線通信に適用可能であるが、以下では本発明が適用可能なシステムの一例として無線ＬＡＮ（ｗｉｒｅｌｅｓｓ  ｌｏｃａｌ  ａｒｅａ  ｎｅｔｗｏｒｋ、ＷＬＡＮ）システムについて説明する。
【０００３】
無線ＬＡＮ技術に対する標準はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは２．４ＧＨｚ又は５ＧＨｚで無兔許帯域（ｕｎｌｉｃｅｎｓｅｄ  ｂａｎｄ）を用い、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ、ＯＦＤＭ）を適用して５４Ｍｂｐｓの伝送速度を提供する。ＩＥＥＥ  ８０２．１１ｎは多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用して、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  ｂａｎｄｗｉｄｔｈ）を４０ＭＨｚまで支援し、この場合には６００Ｍｂｐｓの伝送速度を提供する。
【０００４】
前述した無線ＬＡＮ標準は最大１６０ＭＨｚ帯域幅を用い、８個の空間ストリームを支援して最大１Ｇｂｉｔ／ｓの速度を支援するＩＥＥＥ  ８０２．１１ａｃ標準を経て、ＩＥＥＥ  ８０２．１１ａｘ標準化に対する論議がなされている。
【発明の概要】
【発明が解決しようとする課題】
【０００５】
本発明は前述した無線通信システムの性能を向上させるために無線ＬＡＮシステムにおける空間再使用率を高めるために、該当の媒体（チャネル）の使用可否を効率的に判定し、これに基づいて信号を送信する方法及びそのための装置を提供しようとする。
【課題を解決するための手段】
【０００６】
前述したような課題を解決するための本発明の一態様では、無線ＬＡＮシステムで動作するステーション（ＳＴＡ）が無線媒体使用状態に対する判断に基づいて信号を送信する方法であって、前記ステーションが特定の無線媒体を介して無線ＬＡＮ信号を受信し、前記無線ＬＡＮ信号の類型によって前記無線ＬＡＮ信号の受信信号強度を第１ＣＣＡレベル及び前記第１ＣＣＡレベルより低い第２ＣＣＡレベルの中で選択されたいずれか一つのＣＣＡレベルと比較し、前記受信信号強度が前記選択されたＣＣＡレベルより小さな場合、前記特定の無線媒体が使用可能であると判定し、前記判定結果によって前記ステーションの信号伝送を行う、信号伝送方法を提供する。
【０００７】
ここで、前記第１ＣＣＡレベルはＨＥＷ（Ｈｉｇｈ  Ｅｆｆｉｃｉｅｎｃｙ  ＷＬＡＮ）無線ＬＡＮ信号のためのＣＣＡレベルであり、前記第２ＣＣＡレベルは前記ＨＥＷ無線ＬＡＮ信号以前のレガシー（ｌｅｇａｃｙ）無線ＬＡＮ信号のためのＣＣＡレベルであってもよい。
【０００８】
また、前記受信された無線ＬＡＮ信号がレガシー無線ＬＡＮ信号形式を有するＲＴＳ及びＣＴＳフレームのいずれか一つである場合、前記受信されたＲＴＳ及びＣＴＳフレームのいずれか一つの信号強度は前記第２ＣＣＡレベルを選択して比較して前記特定の媒体の使用可否を判定することができる。
【０００９】
この際、前記受信された無線ＬＡＮ信号が前記ＲＴＳフレームであり、前記ＲＴＳフレームの信号強度が前記第２ＣＣＡレベル以上の場合、前記ＲＴＳフレームの区間情報によって前記ステーションのＮＡＶ（Ｎｅｔｗｏｒｋ  Ａｌｌｏｃａｔｉｏｎ  Ｖｅｃｔｏｒ）情報をアップデートし、前記ＲＴＳフレームの受信後、前記ＣＴＳフレーム受信なしで所定時間区間の間にＰＰＤＵを受信することができない場合、前記ＮＡＶ情報を再設定し、前記特定の媒体を使用可能であると判定することができる。
【００１０】
また、前記ＲＴＳフレームの受信後、前記所定期間内に前記ＣＴＳフレームの受信なしでＰＰＤＵが検出される場合、前記ＰＰＤＵが前記ステーションのＢＳＳのＰＰＤＵに属するかを判定することをさらに含み、前記判定結果、前記ＰＰＤＵが前記ステーションのＢＳＳのＰＰＤＵに属しない場合、前記ＰＰＤＵの受信強度が前記第１ＣＣＡレベル以下の場合、前記特定の媒体を使用可能であると判定することができる。
【００１１】
前記ＲＴＳフレームの受信後、前記ＣＴＳフレームが受信される場合、前記ＣＴＳフレームの情報に基づいて前記ＮＡＶ情報をアップデートすることができる。ただ、これとは異なり、前記ＲＴＳフレームの受信後、前記ＣＴＳフレームが受信される場合、前記ＣＴＳフレームの受信強度を前記第１ＣＣＡレベルと比較することをさらに含むことができ、前記ＣＴＳフレームの受信強度が前記第１ＣＣＡレベルより低い場合、後続のＰＰＤＵがＨＥＷ  ＰＰＤＵであるか、前記後続のＰＰＤＵの受信強度が前記第１ＣＣＡレベルを超えるか、及び前記後続のＰＰＤＵが前記ステーションのＢＳＳのＰＰＤＵに属するかの中で一つ以上をさらに考慮して前記特定の媒体の使用可否を判定することができる。
【００１２】
前記後続のＰＰＤＵが前記ＨＥＷ  ＰＰＤＵではなく、前記ステーションのＢＳＳのＰＰＤＵに属しなく、前記後続のＰＰＤＵの受信強度が前記第１ＣＣＡレベルより小さい場合、前記特定の媒体を使用可能であると判定することができる。
【００１３】
一方、前記受信された無線ＬＡＮ信号がＲＴＳフレームであり、所定期間内にＰＰＤＵが受信されれば、（Ａ）前記ＰＰＤＵの物理階層ヘッダーが前記ステーションのＰＰＤＵであることを示すか、（Ｂ）前記ＰＰＤＵの物理階層ヘッダーが前記ステーションのＰＰＤＵではないことを示すが、前記ＰＰＤＵの受信強度が前記第１ＣＣＡレベル以上である場合、特定のプリミティブが発行されてＮＡＶ設定が維持されるように設定することができる。
【００１４】
また、前記ＰＰＤＵの物理階層ヘッダーが前記ステーションのＰＰＤＵではないことを示し、前記ＰＰＤＵの受信強度が前記第１ＣＣＡレベルより小さい場合、前記ＮＡＶは再設定され、前記特定の媒体は使用可能であると判定されることができる。
【００１５】
前記受信された無線ＬＡＮ信号がＲＴＳフレームであり、前記ＲＴＳフレームの受信後、ＣＴＳフレームが受信される場合、（Ａ）前記ＣＴＳフレームの物理階層ヘッダーが前記ステーションのＣＴＳフレームであることを示すか、（Ｂ）前記ＣＴＳフレームの物理階層ヘッダーが前記ステーションのＣＴＳフレームではないことを示すが、前記ＣＴＳフレームの受信強度が前記第１ＣＣＡレベル以上である場合、特定のプリミティブが発行されてＮＡＶ設定が維持されることができる。
【００１６】
この際、前記ＣＴＳフレームの物理階層ヘッダーが前記ステーションのＣＴＳフレームではないことを示し、前記ＣＴＳフレームの受信強度が前記第１ＣＣＡレベルより小さい場合、前記ＮＡＶは再設定され、前記特定の媒体は使用可能であると判定されることができる。
【００１７】
一方、前記受信された無線ＬＡＮ信号がＲＴＳフレームであり、前記ＲＴＳフレームが前記ステーションのＢＳＳのＲＴＳフレームではない場合、前記ＲＴＳフレームの受信強度が前記第１ＣＣＡレベルより低いかを判定し、前記第１ＣＣＡレベルより低い場合、前記特定の媒体を使用可能であると判定することができる。
【００１８】
前記受信された無線ＬＡＮ信号がＨＥＷステーションのためのＲＴＳフレーム又はＣＴＳフレームである場合、前記ＨＥＷステーションのためのＲＴＳフレーム及びＣＴＳフレームの受信強度は前記第１ＣＣＡレベルと比較して前記特定の媒体の使用可否を判定することができる。
【００１９】
一方、本発明の他の態様では、無線ＬＡＮシステムで動作するステーション（ＳＴＡ）装置であって、特定の無線媒体を介して無線ＬＡＮ信号を受信するように構成される送受信機；及び前記送受信機に連結され、前記無線ＬＡＮ信号の類型によって前記無線ＬＡＮ信号の受信信号強度を第１ＣＣＡレベル及び前記第１ＣＣＡレベルより低い第２ＣＣＡレベルの中で選択されたいずれか一つのＣＣＡレベルと比較し、前記受信信号強度が前記選択されたＣＣＡレベルより小さい場合、前記特定の無線媒体が使用可能であると判定するように構成されるプロセッサを含む、ステーション装置を提案する。
本明細書は、例えば、以下の項目も提供する。
（項目１）
無線ＬＡＮシステムで動作するステーション（ＳＴＡ）が無線媒体使用状態に対する判断に基づいて信号を送信する方法であって、
前記ステーションが特定の無線媒体を介して無線ＬＡＮ信号を受信し、
前記無線ＬＡＮ信号の類型によって前記無線ＬＡＮ信号の受信信号強度を第１ＣＣＡレベル及び前記第１ＣＣＡレベルより低い第２ＣＣＡレベルの中で選択されたいずれか一つのＣＣＡレベルと比較し、
前記受信信号強度が前記選択されたＣＣＡレベルより小さな場合、前記特定の無線媒体が使用可能であると判定し、
前記判定結果によって前記ステーションの信号伝送を行う、信号伝送方法。
（項目２）
前記第１ＣＣＡレベルはＨＥＷ（Ｈｉｇｈ  Ｅｆｆｉｃｉｅｎｃｙ  ＷＬＡＮ）無線ＬＡＮ信号のためのＣＣＡレベルであり、前記第２ＣＣＡレベルは前記ＨＥＷ無線ＬＡＮ信号以前のレガシー（ｌｅｇａｃｙ）無線ＬＡＮ信号のためのＣＣＡレベルである、項目１に記載の信号伝送方法。
（項目３）
前記受信された無線ＬＡＮ信号がレガシー無線ＬＡＮ信号形式を有するＲＴＳ及びＣＴＳフレームのいずれか一つである場合、前記受信されたＲＴＳ及びＣＴＳフレームのいずれか一つの信号強度は前記第２ＣＣＡレベルを選択して比較して前記特定の媒体の使用可否を判定する、項目１に記載の信号伝送方法。
（項目４）
前記受信された無線ＬＡＮ信号が前記ＲＴＳフレームであり、前記ＲＴＳフレームの信号強度が前記第２ＣＣＡレベル以上の場合、前記ＲＴＳフレームの区間情報によって前記ステーションのＮＡＶ（Ｎｅｔｗｏｒｋ  Ａｌｌｏｃａｔｉｏｎ  Ｖｅｃｔｏｒ）情報をアップデートし、
前記ＲＴＳフレームの受信後、前記ＣＴＳフレーム受信なしで所定時間区間の間にＰＰＤＵを受信することができない場合、前記ＮＡＶ情報を再設定し、前記特定の媒体を使用可能であると判定する、項目３に記載の信号伝送方法。
（項目５）
前記ＲＴＳフレームの受信後、前記所定期間内に前記ＣＴＳフレームの受信なしでＰＰＤＵが検出される場合、前記ＰＰＤＵが前記ステーションのＢＳＳのＰＰＤＵに属するかを判定することをさらに含み、
前記判定結果、前記ＰＰＤＵが前記ステーションのＢＳＳのＰＰＤＵに属しない場合、前記ＰＰＤＵの受信強度が前記第１ＣＣＡレベル以下の場合、前記特定の媒体を使用可能であると判定する、項目４に記載の信号伝送方法。
（項目６）
前記ＲＴＳフレームの受信後、前記ＣＴＳフレームが受信される場合、前記ＣＴＳフレームの情報に基づいて前記ＮＡＶ情報をアップデートする、項目４に記載の信号伝送方法。
（項目７）
前記ＲＴＳフレームの受信後、前記ＣＴＳフレームが受信される場合、前記ＣＴＳフレームの受信強度を前記第１ＣＣＡレベルと比較することをさらに含み、
前記ＣＴＳフレームの受信強度が前記第１ＣＣＡレベルより低い場合、後続のＰＰＤＵがＨＥＷ  ＰＰＤＵであるか、前記後続のＰＰＤＵの受信強度が前記第１ＣＣＡレベルを超えるか、及び前記後続のＰＰＤＵが前記ステーションのＢＳＳのＰＰＤＵに属するかの中で一つ以上をさらに考慮して前記特定の媒体の使用可否を判定する、項目４に記載の信号伝送方法。
（項目８）
前記後続のＰＰＤＵが前記ＨＥＷ  ＰＰＤＵではなく、前記ステーションのＢＳＳのＰＰＤＵに属しなく、前記後続のＰＰＤＵの受信強度が前記第１ＣＣＡレベルより小さい場合、前記特定の媒体を使用可能であると判定する、項目７に記載の信号伝送方法。
（項目９）
前記受信された無線ＬＡＮ信号がＲＴＳフレームであり、所定期間内にＰＰＤＵが受信されれば、
（Ａ）前記ＰＰＤＵの物理階層ヘッダーが前記ステーションのＰＰＤＵであることを示すか、
（Ｂ）前記ＰＰＤＵの物理階層ヘッダーが前記ステーションのＰＰＤＵではないことを示すが、前記ＰＰＤＵの受信強度が前記第１ＣＣＡレベル以上である場合、
特定のプリミティブが発行されてＮＡＶ設定が維持される、項目１に記載の信号伝送方法。
（項目１０）
前記ＰＰＤＵの物理階層ヘッダーが前記ステーションのＰＰＤＵではないことを示し、前記ＰＰＤＵの受信強度が前記第１ＣＣＡレベルより小さい場合、前記ＮＡＶは再設定され、前記特定の媒体は使用可能であると判定される、項目９に記載の信号伝送方法。
（項目１１）
前記受信された無線ＬＡＮ信号がＲＴＳフレームであり、前記ＲＴＳフレームの受信後、ＣＴＳフレームが受信される場合、
（Ａ）前記ＣＴＳフレームの物理階層ヘッダーが前記ステーションのＣＴＳフレームであることを示すか、
（Ｂ）前記ＣＴＳフレームの物理階層ヘッダーが前記ステーションのＣＴＳフレームではないことを示すが、前記ＣＴＳフレームの受信強度が前記第１ＣＣＡレベル以上である場合、
特定のプリミティブが発行されてＮＡＶ設定が維持される、項目１に記載の信号伝送方法。
（項目１２）
前記ＣＴＳフレームの物理階層ヘッダーが前記ステーションのＣＴＳフレームではないことを示し、前記ＣＴＳフレームの受信強度が前記第１ＣＣＡレベルより小さい場合、前記ＮＡＶは再設定され、前記特定の媒体は使用可能であると判定される、項目１１に記載の信号伝送方法。
（項目１３）
前記受信された無線ＬＡＮ信号がＲＴＳフレームであり、前記ＲＴＳフレームが前記ステーションのＢＳＳのＲＴＳフレームではない場合、
前記ＲＴＳフレームの受信強度が前記第１ＣＣＡレベルより低いかを判定し、前記第１ＣＣＡレベルより低い場合、前記特定の媒体を使用可能であると判定する、項目１に記載の信号伝送方法。
（項目１４）
前記受信された無線ＬＡＮ信号がＨＥＷステーションのためのＲＴＳフレーム又はＣＴＳフレームである場合、前記ＨＥＷステーションのためのＲＴＳフレーム及びＣＴＳフレームの受信強度は前記第１ＣＣＡレベルと比較して前記特定の媒体の使用可否を判定する、項目１に記載の信号伝送方法。
（項目１５）
無線ＬＡＮシステムで動作するステーション（ＳＴＡ）装置であって、
特定の無線媒体を介して無線ＬＡＮ信号を受信するように構成される送受信機；及び
前記送受信機に連結され、前記無線ＬＡＮ信号の類型によって前記無線ＬＡＮ信号の受信信号強度を第１ＣＣＡレベル及び前記第１ＣＣＡレベルより低い第２ＣＣＡレベルの中で選択されたいずれか一つのＣＣＡレベルと比較し、前記受信信号強度が前記選択されたＣＣＡレベルより小さい場合、前記特定の無線媒体が使用可能であると判定するように構成されるプロセッサを含む、ステーション装置。
【発明の効果】
【００２０】
前述したような本発明によると、新しい無線ＬＡＮシステムで効率的に空間再使用率を高めることができる。
【図面の簡単な説明】
【００２１】
【図１】無線ＬＡＮシステムの構成の一例を示した図である。
【図２】無線ＬＡＮシステムの構成の他の例を示した図である。
【図３】無線ＬＡＮシステムにおけるＤＣＦメカニズムを説明するための図である。
【図４】既存の衝突解決メカニズムの問題を説明するための例示図である。
【図５】既存の衝突解決メカニズムの問題を説明するための例示図である。
【図６】ＲＴＳ／ＣＴＳフレームを用いて隠されたノード問題を解決するメカニズムを説明するための図である。
【図７】ＲＴＳ／ＣＴＳフレームを用いて露出されたノード問題を解決するメカニズムを説明するための図である。
【図８】前述したようなＲＴＳ／ＣＴＳフレームを用いて動作する方法を具体的に説明するための図である。
【図９】ＨＥ  ＰＰＤＵフォーマットの一例を示す。
【図１０】本発明の一実施形態によって該当のチャネルの使用可否を判断する方法を説明するための図である。
【図１１】本発明の好適な一実施形態によるＲＴＳ／ＣＴＳフレーム受信による動作を説明するための図である。
【図１２】前述したような空間再使用率を高めるための無線ＬＡＮ装置を説明するための図である。
【発明を実施するための形態】
【００２２】
以下、本発明による好適な実施形態を添付図面に基づいて詳細に説明する。添付図面に基づいて以下に開示される詳細な説明は本発明の例示的な実施形態を説明しようとするもので、本発明の実施可能な唯一の実施形態を示そうとするものではない。
【００２３】
以下の詳細な説明は本発明の完全な理解を提供するために具体的な詳細事項を含む。しかし、当業者は本発明がこのような具体的詳細事項なしにも実施可能であることが分かる。場合によって、本発明の概念があいまいになることを避けるために公知の構造及び装置は省略するか、それぞれの構造及び装置の核心機能を中心とするブロック図の形式で示す。
【００２４】
前述したように、以下の説明は無線ＬＡＮシステムにおける空間再使用率を高めるための方法及びそのための装置に関するものである。このために、まず本発明が適用される無線ＬＡＮシステムについて具体的に説明する。
【００２５】
図１は無線ＬＡＮシステムの構成の一例を示した図である。
【００２６】
図１に示したように、無線ＬＡＮシステムは一つ以上の基本サービスセット（Ｂａｓｉｃ  Ｓｅｒｖｉｃｅ  Ｓｅｔ、ＢＳＳ）を含む。ＢＳＳは成功的に同期化して互いに通信することができるステーション（Ｓｔａｔｉｏｎ、ＳＴＡ）の集合である。
【００２７】
ＳＴＡは媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む論理個体であって、アクセスポイント（ａｃｃｅｓｓ  ｐｏｉｎｔ、ＡＰ）と非ＡＰ  ＳＴＡ（Ｎｏｎ−ＡＰ  Ｓｔａｔｉｏｎ）を含む。ＳＴＡのうち、使用者が操作する携帯用端末はＮｏｎ−ＡＰ  ＳＴＡであって、単にＳＴＡと言うときはＮｏｎ−ＡＰ  ＳＴＡを示すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、使用者装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、又は移動加入者ユニット（Ｍｏｂｉｌｅ  Ｓｕｂｓｃｒｉｂｅｒ  Ｕｎｉｔ）などの他の名称とも呼ばれることができる。
【００２８】
そして、ＡＰは自分に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ、ＤＳ）への接続を提供する個体である。ＡＰは、集中制御器、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、又はサイト制御器などと呼ばれることもできる。
【００２９】
ＢＳＳはインフラストラクチャー（ｉｎｆｒａｓｔｒｕｃｔｕｒｅ）ＢＳＳと独立的（Ｉｎｄｅｐｅｎｄｅｎｔ）ＢＳＳ（ＩＢＳＳ）に区分することができる。
【００３０】
図１に示したＢＢＳはＩＢＳＳである。ＩＢＳＳはＡＰを含んでいないＢＳＳを意味し、ＡＰを含んでいないので、ＤＳへの接続が許されなくて自己完結的ネットワーク（ｓｅｌｆ−ｃｏｎｔａｉｎｅｄ  ｎｅｔｗｏｒｋ）を成す。
【００３１】
図２は無線ＬＡＮシステムの構成の他の例を示した図である。
【００３２】
図２に示したＢＳＳはインフラストラクチャーＢＳＳである。インフラストラクチャーＢＳＳは一つ以上のＳＴＡ及びＡＰを含む。インフラストラクチャーＢＳＳにおいて、非ＡＰ  ＳＴＡの間の通信はＡＰを介してなされることが原則であるが、非ＡＰ  ＳＴＡの間に直接リンク（ｌｉｎｋ）が設定された場合には、非ＡＰ  ＳＴＡの間で直接通信も可能である。
【００３３】
図２に示したように、複数のインフラストラクチャーＢＳＳはＤＳを介して互いに連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）と言う。ＥＳＳに含まれるＳＴＡは互いに通信することができ、同じＥＳＳ内で非ＡＰ  ＳＴＡは切れなしに通信しながら一つのＢＳＳから他のＢＳＳに移動することができる。
【００３４】
ＤＳは複数のＡＰを連結するメカニズム（ｍｅｃｈａｎｉｓｍ）であって、必ずしもネットワークである必要はなく、所定の分配サービスを提供することができる限り、その形態に対しては何らの制限がない。例えば、ＤＳはメッシュ（ｍｅｓｈ）ネットワークのような無線ネットワークであってもよく、ＡＰを互いに連結する物理的な構造物であってもよい。
【００３５】
以上に基づいて無線ＬＡＮシステムにおける衝突検出技術について説明する。
【００３６】
前述したように、無線環境では多様な要素がチャネルに影響を与えるため、送信端が正確に衝突検出を遂行することができない問題がある。それで、８０２．１１ではＣＳＭＡ／ＣＡ（ｃａｒｒｉｅｒ  ｓｅｎｓｅ  ｍｕｌｔｉｐｌｅ  ａｃｃｅｓｓ／ｃｏｌｌｉｓｉｏｎ  ａｖｏｉｄａｎｃｅ）メカニズムであるＤＣＦ（ｄｉｓｔｒｉｂｕｔｅｄ  ｃｏｏｒｄｉｎａｔｉｏｎ  ｆｕｎｃｔｉｏｎ）を導入した。
【００３７】
図３は無線ＬＡＮシステムにおけるＤＣＦメカニズムを説明するための図である。
【００３８】
ＤＣＦは、送信すべきデータがあるＳＴＡがデータを送信する前に特定の期間（例えば、ＤＩＦＳ：ＤＣＦ  ｉｎｔｅｒ−ｆｒａｍｅ  ｓｐａｃｅ）の間に媒体をセンシングするＣＣＡ（ｃｌｅａｒ  ｃｈａｎｎｅｌ  ａｓｓｅｓｓｍｅｎｔ）を遂行する。この際、時媒体がアイドル（ｉｄｌｅ）であれば（使用可能の場合）ＳＴＡはその媒体を介して信号を送信することが可能である。ところが、媒体がビジー（ｂｕｓｙ）である場合（使用不可の場合）は、既に多くのＳＴＡがその媒体を使うために待機しているという仮定の下でＤＩＦＳに、さらにランダムバックオフ周期（ｒａｎｄｏｍ  ｂａｃｋｏｆｆ  ｐｅｒｉｏｄ）だけ待った後、データを送信することができる。この際、ランダムバックオフ周期は衝突を回避することができるようにする。これはデータを送信するための多くのＳＴＡが存在すると仮定するとき、各ＳＴＡは確率的に相異なるバックオフ間隔値を有することになり、結局相異なる伝送タイムを有することになるからである。一つのＳＴＡが送信を始めれば、他のＳＴＡはその媒体を使うことができなくなる。
【００３９】
ランダムバックオフ時間とプロシージャについて簡単に説明すると次のようである。
【００４０】
特定の媒体がビジー（ｂｕｓｙ）からアイドル（ｉｄｌｅ）に変われば、多くのＳＴＡはデータを送信するために準備し始める。この際、衝突を最小化させるために、データを送信しようとするＳＴＡはそれぞれランダムバックオフカウントを選択し、そのスロット時間だけ待つ。ランダムバックオフカウントは疑似ランダム整数（ｐｓｅｕｄｏ−ｒａｎｄｏｍ  ｉｎｔｅｇｅｒ）値であり、［０  ＣＷ］の範囲で均一に分布された値の一つを選択することになる。ＣＷは‘ｃｏｎｔｅｎｔｉｏｎ  ｗｉｎｄｏｗ’を意味する。
【００４１】
ＣＷパラメーターは初期値としてＣＷｍｉｎ値を取るが、伝送が失敗すれば、値を２倍に増やすことになる。例えば、送信したデータフレームに対するＡＣＫ応答を受けなかったとすれば衝突が発生したと見なすことができる。ＣＷ値がＣＷｍａｘ値を有すれば、データ伝送が成功するまでＣＷｍａｘ値を維持するようにし、データ伝送が成功すれば、ＣＷｍｉｎ値に再設定することになる。この際、ＣＷ、ＣＷｍｉｎ、ＣＷｍａｘは具現と動作の便宜のために
【００４２】
【数１】
0006321283.tif 000002
を維持するようにすることが好ましい。
【００４３】
一方、ランダムバックオフ手順が始まれば、ＳＴＡは［０  ＣＷ］の範囲内でランダムバックオフカウントを選択した後、バックオフスロットがカウントダウンされているうちに続けて媒体をモニタリングすることになる。その間に媒体がビジー（ｂｕｓｙ）状態になればカウントダウンを止めていて、媒体が再びアイドル（ｉｄｌｅ）になれば残りのバックオフスロットのカウントダウンを再開する。
【００４４】
図３を参照すると、多くのＳＴＡが送信したいデータがあるとき、ＳＴＡ３の場合、ＤＩＦＳの分だけ媒体がアイドル（ｉｄｌｅ）であったので、すぐにデータフレームを送信し、残りのＳＴＡはその媒体がアイドル（ｉｄｌｅ）になることを待つ。しばらく媒体がビジー（ｂｕｓｙ）状態であったので、多くのＳＴＡがその媒体を使う機会を待っているであろう。それで、各ＳＴＡはランダムバックオフカウントを選択することになる。図３は、この時に最小のバックオフカウントを選択することになったＳＴＡ２がデータフレームを送信することを示す。
【００４５】
ＳＴＡ２の伝送が終わった後、媒体は再びアイドル（ｉｄｌｅ）状態になり、ＳＴＡは止まったバックオフ間隔に対するカウントダウンを再開する。図３は、ＳＴＡ２の次に小さいランダムバックオフカウント値を有し、媒体がビジー（ｂｕｓｙ）であるとき、しばらくカウントダウンを止めたＳＴＡ５が残りのバックオフスロットを全部カウントダウンしてからデータフレームの伝送を始めたが、偶然にＳＴＡ４のランダムバックオフカウント値と重なって衝突が発生したことを示す。この際、二つのＳＴＡデータ伝送後に皆ＡＣＫ応答を受けることができないから、ＣＷを２倍に増やしてからまたランダムバックオフカウント値を選択することになる。
【００４６】
前述したように、ＣＳＭＡ／ＣＡの最も基本はキャリアセンシングである。端末機はＤＣＦ媒体のビジー／アイドル（ｂｕｓｙ／ｉｄｌｅ）を判断するために物理キャリアセンシングと仮想キャリアセンシングを使うことができる。物理キャリアセンシングはＰＨＹ（ｐｈｙｓｉｃａｌ  ｌａｙｅｒ）端でなされ、（ｅｎｅｒｇｙ  ｄｅｔｅｃｔｉｏｎ）やプリアンブル検出（ｐｒｅａｍｂｌｅ  ｄｅｔｅｃｔｉｏｎ）によってなされる。例えば、受信端での電圧レベルを測定するかプリアンブルが読み取られたと判断されれば、媒体がビジー（ｂｕｓｙ）状態であると判断することができる。仮想キャリアセンシングはＮＡＶ（ｎｅｔｗｏｒｋ  ａｌｌｏｃａｔｉｏｎ  ｖｅｃｔｏｒ）を設定して他のＳＴＡがデータを送信することができないようにするもので、ＭＡＣヘッダーの持続期間フィールド（Ｄｕｒａｔｉｏｎ  ｆｉｅｌｄ）の値によってなされる。一方、衝突の可能性を減らすためにロバスト衝突検出メカニズム（ｒｏｂｕｓｔ  ｃｏｌｌｉｓｉｏｎ  ｄｅｔｅｃｔ  ｍｅｃｈａｎｉｓｍ）を導入したところ、その理由は次のような二つの例題から確認することができる。便宜のために、キャリアセンシング範囲は伝送範囲と同一であると仮定する。
【００４７】
図４及び図５は既存の衝突解決メカニズムの問題を説明するための例示図である。
【００４８】
具体的に、図４は隠されたノード問題（ｈｉｄｄｅｎ  ｎｏｄｅ  ｉｓｓｕｅｓ）を説明するための図である。この例は、ＳＴＡ  ＡとＳＴＡ  Ｂが通信中にあり、ＳＴＡ  Ｃが送信すべき情報を持っている場合である。具体的に、ＳＴＡ  ＡがＳＴＡ  Ｂに情報を送信している状況で、ＳＴＡ  ＣがＳＴＡ  Ｂにデータを送信する前に媒体をキャリアセンシングするとき、ＳＴＡ  ＣがＳＴＡ  Ａの伝送範囲外にあるためＳＴＡ  Ａの信号伝送を検出することができず、媒体がアイドル（ｉｄｌｅ）状態にあると思う可能性がある。結局、ＳＴＡ  ＢはＳＴＡ  ＡとＳＴＡ  Ｃの情報を同時に受けるため衝突が発生することになる。この際、ＳＴＡ  ＡはＳＴＡ  Ｃの隠されたノード（ｈｉｄｄｅｎ  ｎｏｄｅ）と言える。
【００４９】
一方、図５は露出されたノード問題（ｅｘｐｏｓｅｄ  ｎｏｄｅ  ｉｓｓｕｅｓ）を説明するための図である。現在ＳＴＡ  ＢはＳＴＡ  Ａにデータを送信している。この際、ＳＴＡ  Ｃはキャリアセンシングを行い、ＳＴＡ  Ｂが情報を送信する状態であるので、媒体がビジー（ｂｕｓｙ）であると感知される。その結果、ＳＴＡ  ＣがＳＴＡＤにデータを送信したくても媒体がビジー（ｂｕｓｙ）であるとセンシングされるため、媒体がアイドル（ｉｄｌｅ）になるまで無駄に待たなければならない状況が発生する。すなわち、ＳＴＡ  ＡはＳＴＡ  ＣのＣＳ範囲外にあるにもかかわらず、ＳＴＡ  Ｃの情報伝送を防ぐ場合が発生する。この際、ＳＴＡ  ＣはＳＴＡ  Ｂの露出されたノード（ｅｘｐｏｓｅｄ  ｎｏｄｅ）になる。
【００５０】
前述した状況で衝突回避メカニズムをよく活用するためにＲＴＳ（ｒｅｑｕｅｓｔ  ｔｏ  ｓｅｎｄ）とＣＴＳ（ｃｌｅａｒ  ｔｏ  ｓｅｎｄ）などのｓｈｏｒｔ  ｓｉｇｎａｌｉｎｇ  ｐａｃｋｅｔを導入することで、周りのＳＴＡが二つのＳＴＡの情報伝送可否をオーバーヒアリング（ｏｖｅｒｈｅａｒｉｎｇ）することができる余地を残すことができる。すなわち、データを送信しようとするＳＴＡがデータを受けるＳＴＡにＲＴＳフレームを送信すれば、受信端ＳＴＡはＣＴＳフレームを周りの端末に送信することにより、自分がデータを受けようとすることを知らせることができる。
【００５１】
図６はＲＴＳ／ＣＴＳフレームを用いて隠されたノード問題を解決するメカニズムを説明するための図である。
【００５２】
図６はＳＴＡ  ＡとＳＴＡ  Ｃが共にＳＴＡ  Ｂにデータを送信しようとする場合である。ＳＴＡ  ＡがＲＴＳをＳＴＡ  Ｂに送信すれば、ＳＴＡ  ＢはＣＴＳを自分の周りにあるＳＴＡ  ＡとＳＴＡ  Ｃの両者に送信する。その結果、ＳＴＡ  ＣはＳＴＡ  ＡとＳＴＡ  Ｂのデータ伝送が終わるまで待つことになって衝突を避けることができる。
【００５３】
図７はＲＴＳ／ＣＴＳフレームを用いて露出されたノード問題を解決するメカニズムを説明するための図である。
【００５４】
図７で、ＳＴＡ  ＡとＳＴＡ  ＢのＲＴＳ／ＣＴＳ伝送をオーバーヒアリング（ｏｖｅｒｈｅａｒｉｎｇ）することで、ＳＴＡ  Ｃはさらに他のＳＴＡＤにデータを送信しても衝突が発生しないことが分かることになる。すなわち、ＳＴＡ  Ｂは周りの全ての端末機にＲＴＳを送信し、実際に送信すべきデータがあるＳＴＡ  ＡのみＣＴＳを送信することになる。ＳＴＡ  ＣはＲＴＳのみを受けてＳＴＡ  ＡのＣＴＳは受けることができなかったため、ＳＴＡ  ＡはＳＴＣ  ＣのＣＳ範囲外にあることが分かる。
【００５５】
図８は前述したようなＲＴＳ／ＣＴＳフレームを用いて動作する方法を具体的に説明するための図である。
【００５６】
図８で、送信端ＳＴＡはＤＩＦＦ（Ｄｉｓｔｒｉｂｕｔｅｄ  ＩＦＳ）後に信号を送信する受信端ＳＴＡにＲＴＳフレームを送信することができる。このＲＴＳフレームを受信した受信端ＳＴＡはＳＩＦＳ（Ｓｈｏｒｔ  ＩＦＳ）後にＣＴＳを送信端ＳＴＡに送信することができる。受信端ＳＴＡからＣＴＳを受信した送信端ＳＴＡはＳＩＦＳ後に、図８に示したように、データを送信することができる。データを受信した受信端ＳＴＡはＳＩＦＳ後に受信されたデータに対してＡＣＫ応答を送信することができる。
【００５７】
一方、前述した送受信端ＳＴＡ以外の隣りのＳＴＡの中で送信端ＳＴＡのＲＴＳ／ＣＴＳを受信したＳＴＡは、図６及び図７を参照して前述したように、ＲＴＳ／ＣＴＳの受信有無によって媒体のビジー（ｂｕｓｙ）状態を判断し、これによってＮＡＶ（ｎｅｔｗｏｒｋ  ａｌｌｏｃａｔｉｏｎ  ｖｅｃｔｏｒ）を設定することができる。ＮＡＶ期間が終了すれば、ＤＩＦＳ後に図３を参照して前述したような衝突解決のための過程を遂行することができる。
【００５８】
前述したように、８０２．１１機器はＣＣＡ規則に基づいてチャネルの状態（ｃｌｅａｒ又はｏｃｃｕｐｉｅｄ）を把握して該当のチャネルに対する信号伝送有無を決定する。例えば、８０２．１１ａｃで、機器は、主チャネル（ｐｒｉｍａｒｙ  ｃｈａｎｎｅｌ）と補助チャネル（ｓｅｃｏｎｄａｒｙ  ｃｈａｎｎｅｌ）に対するＣＣＡレベルを用い、該当のチャネルで受信した信号の強度がＣＣＡレベルより大きくない場合に前記チャネルがクリア（ｃｌｅａｒ）であると認識し、該当のチャネルを介して信号を送信する。
【００５９】
８０２．１１ａ／ｇなどのシステムにおけるＣＣＡ要求条件は次のようである。
【００６０】
受信端で受信信号強度が最小変調及びコーディング率敏感度（２０ＭＨｚのチャネル間隔に対しては−８２ｄｂｍ、１０ＭＨｚのチャネル間隔に対しては−８５ｄｂｍ、そして５ＭＨｚのチャネル間隔に対しては−８８ｄｂｍ）以上の可用ＯＦＤＭ伝送の開始点は、ＣＳ／ＣＣＡが２０ＭＨｚのチャネル間隔に対しては４μｓ、１０ＭＨｚのチャネル間隔に対しては８μｓ、そして５ＭＨｚのチャネル間隔に対しては１６μｓ内で９０％を超える確率でビジー（ｂｕｓｙ）であると示すようにすることができる。
【００６１】
仮に、信号のプリアンブル部分が漏れる場合、受信端は最小変調及びコーディング率敏感度より２０ｄＢ大きな任意のＣＣＡ信号によって媒体がビジー（ｂｕｓｙ）であることに判定することができる（つまり、２０ＭＨｚのチャネル間隔に対しては−６２ｄｂｍ、１０ＭＨｚのチャネル間隔に対しては−６５ｄｂｍ、そして５ＭＨｚのチャネル間隔に対しては−６８ｄｂｍ）。
【００６２】
一方、ＣＣＡ規則のための物理階層動作は次のようである。
【００６３】
送信された物理プリアンブルを受信する場合、物理階層は受信信号の強度を測定することができる。このような動作はＰＨＹ−ＣＣＡ．ｉｎｄｉｃａｔｉｏｎプリミティブを介してＭＡＣ階層に知らせられることができる。正確なＰＰＤＵの受信以前に信号を受信することによってＰＨＹ−ＣＣＡ．ｉｎｄｉｃａｔｉｏｎ（ＢＵＳＹ）プリミティブが発行されることができる。受信信号強度情報（例えば、ＲＳＳＩパラメーター）はＲＸＶＥＣＴＯＲを介してＭＡＣ階層に報告されることができる。
【００６４】
ＰＨＹ−ＣＣＡ．ｉｎｄｉｃａｔｉｏｎプリミティブが発行された後、物理階層エンティティはトレーニングシンボルを受信し、ＳＩＧＮＡＬを探索することができる。
【００６５】
仮に、物理階層ヘッダーが成功的に受信された場合、ＰＨＹ−ＲＸＳＴＡＲＴ．ｉｎｄｉｃａｔｉｏｎプリミティブが発行されることができる。
【００６６】
一方、８０２．１１ａｃシステムにおいてＣＣＡ−ＥＤ（Ｅｎｅｒｇｙ  Ｄｅｔｅｃｔ）を要求する動作クラスのためのＣＣＡ敏感度は次のようである。
【００６７】
主２０ＭＨｚチャネル及び補助２０ＭＨｚチャネルに対してはｄｏｔ１１ＯＦＤＭＥＤＴｈｒｅｓｈｏｌｄとして、補助４０ＭＨｚチャネルに対してはｄｏｔ１１ＯＦＤＭＥＤＴｈｒｅｓｈｏｌｄ＋３ｄＢとして、そして補助８０ＭＨｚチャネルに対してはｄｏｔ１１ＯＦＤＭＥＤＴｈｒｅｓｈｏｌｄ＋６ｄＢとして与えられるＣＣＡ−ＥＤレベルを超える信号を受信する場合、ＣＣＡ−ＥＤはチャネルをＢＵＳＹ状態を表すことができる。
【００６８】
ＣＣＡ−ＥＤを要求する動作クラスのＣＣＡ−ＥＤ閾値は標準の所定基準値によることができる。
【００６９】
下記の表１は主２０ＭＨｚチャネルを占める信号のＣＣＡ敏感度を示す。
【００７０】
【表１】
0006321283.tif 000003
一方、８０２．１１ａｈシステムにおいてＣＣＡ基準は次のようである。
【００７１】
【表２】
0006321283.tif 000004
【００７２】
【表３】
0006321283.tif 000005
一方、受信端の敏感度と空間再使用の間の妥協点関係について説明すると次のようである。
【００７３】
受信機の敏感度が増加すれば、該当の受信機はチャネル接続において積極的になることができないため、ＳＴＡの非積極性は空間再使用率を減少させることができる。  よって、ＩＥＥＥ  ８０２．１１ａｈシステムでは、該当のチャネルが特定のＳＴＡと同一のＢＳＳ内のＳＴＡによって使われる場合、該当のチャネルを使うことができなく、これとは反対に、特定のＳＴＡと違うＢＳＳ内のＳＴＡによって使われる場合、該当のチャネルを使うことができるように設定する方式を提案した。ここで、同一のＢＳＳ内の信号であるか否かは、ＵＬの場合にはＰＢＳＳ  ＩＤが自分のＰＢＳＳ  ＩＤであるかを確認することにより、かつＤＬの場合にはＣＯＬＯＲによって自分のＢＳＳであるかを確認することにより、判定することができる。
【００７４】
前述したような説明に基づき、以下では新しい無線ＬＡＮシステム（例えば、ＩＥＥＥ  ８０２．１１ａｘシステム）において空間効率性を向上させるための方法を説明する。
【００７５】
基本的に、１１ａｘ（ＨＥＷ）でも、１１ａｘフレームに対して、レガシー（ｌｅｇａｃｙ）システムより高いＣＣＡレベルを用いて空間再使用率を向上させることができる。したがって、以下では、特に言及がない限り、ＨＥＷでのＣＣＡレベル（第１ＣＣＡレベル）はレガシーシステムのＣＣＡレベルより高いと仮定する。ただ、ＨＥＷでは既存レガシーＳＴＡを支援しなければならないため、レガシーＳＴＡのＰＰＤＵ伝送ための第２ＣＣＡレベルも使われる必要がある。したがって、本発明の一実施形態では２以上のＣＣＡレベルを無線ＬＡＮ信号の類型によって選択的に使うことを提案する。例えば、送信されるフレームがＨＥＷフレームである場合は第１ＣＣＡレベルを、そしてレガシーフレームである場合は第２ＣＣＡレベルを選択的に使うことができる。
【００７６】
前述した説明に基づき、以下では二つのＣＣＡレベル（第１ＣＣＡレベル、第２ＣＣＡレベル）に基づいてレガシー又は１１ａｘフレームを受信する方法を説明する。
【００７７】
図９はＨＥ  ＰＰＤＵフォーマットの一例を示す。
【００７８】
図９で、ＨＥ  Ｔｒａｉｎｉｎｇ  ＳｙｍｂｏｌｓはＨＥ−ＳＴＦ／ＨＥ−ＬＴＦになるであろう。図９のＨＥ  ＰＰＤＵフォーマットのように、ＳＴＡはＬ−ＳＴＦを受信したとき、ＲＳＳＩを測定し、レガシーＣＣＡレベル（例えば、−８２ｄＢｍ  ｉｎ  ２０ＭＨｚ）を用いてチャネルがビジー（ｂｕｓｙ）であるかアイドル（ｉｄｌｅ）であるかを判断する。ビジー（ｂｕｓｙ）であれば、ＰＨＹ−ＣＣＡ．ｉｎｄｉｃａｔｉｏｎを介してＭＡＣにチャネルがビジー（ｂｕｓｙ）であることを知らせ、ｔｒａｉｎｉｎｇ  ｓｙｍｂｏｌ（つまり、Ｌ−ＬＴＦ）とＬ−ＳＩＧを受信する。Ｌ−ＳＩＧが正常に受信されれば（ｐａｒｉｔｙ  ｂｉｔがｖａｌｉｄである）、標準で決めたＰＰＤＵ  ａｕｔｏ  ｄｅｔｅｃｔｉｏｎ  ｒｕｌｅを用いて、ＨＥ−ＰＰＤＵであるかをチェックする。仮に、レガシーＰＰＤＵであれば、ＣＣＡをビジー（ｂｕｓｙ）にずっと維持した後、残りのフレームをデコードする。
【００７９】
一方、ＨＥ  ＰＰＤＵであれば、ＨＥ  ＣＣＡレベルを用いてチャネルがビジー（ｂｕｓｙ）であるかアイドル（ｉｄｌｅ）であるかを確認する。例えば、受信されたＲＳＳＩがレガシーＣＣＡレベルより高くてＨＥ  ＣＣＡレベルより高ければ、ＣＣＡをビジー（ｂｕｓｙ）に維持し、残りのフレームをデコードする。ＲＳＳＩがレガシーＣＣＡレベルより高いがＨＥ  ＣＣＡレベルより低ければ、ＣＣＡをアイドル（ｉｄｌｅ）に変更する。この際、ＲＳＳＩは以前にＬ−ＳＴＦで測定された値を記憶してから再び用いるかあるいは新しく測定した値を用いることができる。ＲＳＳＩがＨＥ−ＣＣＡレベルより低ければ、ＣＣＡ  ｉｎｄｉｃａｔｉｏｎにアイドル（ｉｄｌｅ）に設定した後、ＭＡＣに知らせるか、あるいはＲＸＳＴＡＲＴ．Ｉｎｄｉｃａｔｉｏｎに測定されたＲＳＳＩを含ませてＭＡＣに知らせることができる。ＨＥ−ＳＩＧＡに含まれたＢＳＳ  Ｃｏｌｏｒ情報（ＳＴＡのＢＳＳであるか否かが分かるＢＳＳ  ＩＤ情報）に基づいてＣＣＡをビジー（ｂｕｓｙ）又はアイドル（ｉｄｌｅ）に設定する方法が決定されることができる。ＨＥ−ＳＩＧＡのＢＳＳ  Ｃｏｌｏｒ／ＢＳＳ  ＩＤを確認したところ、ＳＴＡのＢＳＳである場合、ＨＥ  ＣＣＡレベルより低いとしてもビジー（ｂｕｓｙ）に設定する。すなわち、他のＢＳＳである場合には、前述したように、測定されたＲＳＳＩがＨＥ  ＣＣＡレベルより低ければＣＣＡをアイドル（ｉｄｌｅ）に維持し、高ければビジー（ｂｕｓｙ）に維持する。ビジー（ｂｕｓｙ）であるかアイドル（ｉｄｌｅ）であるかによって動作は前述したようである。
【００８０】
前記でレガシーＰＰＤＵであると判断したとき、レガシーＣＣＡレベルを用い、ＲＳＳＩがレガシーＣＣＡレベルより高い場合、ビジー（ｂｕｓｙ）に設定又は維持した。しかし、空間再使用率を高めるために、レガシーＰＰＤＵであると言っても、自分のＢＳＳであるか否かによって、ＨＥ−ＣＣＡレベルを用いて空間再使用率を高めることができる。例えば、ＰＰＤＵがレガシーＰＰＤＵであり、レガシーＰＰＤＵがＳＴＡのＢＳＳのパケットの場合、レガシーＣＣＡレベルをずっと適用してビジー（ｂｕｓｙ）に設定又は維持する。ＳＴＡのＢＳＳのものではなければ（つまり、ＯＢＳＳ）、ＨＥ−ＣＣＡレベルを適用して、アイドル（ｉｄｌｅ）であるかあるいはビジー（ｂｕｓｙ）であるかを判断する過程を遂行する。アイドル（ｉｄｌｅ）であると判断される場合、該当のフレームが伝送区間の間にあるいはフレームで設定されたＴＸＯＰ  ｄｕｒａｔｉｏｎの間に空間／チャネルの再使用を遂行することができる。この方法は本発明で言及した派生の方法にも適用可能である。
【００８１】
レガシーフレームのＭＰＤＵ（例えば、ＭＡＣ  ｈｅａｄｅｒ）にあるＲｅｃｅｉｖｅｒ  Ａｄｄｒｅｓｓ（ＲＡ、Ａｄｄｒｅｓｓ１）とＳｅｎｄｅｒ  Ａｄｄｒｅｓｓ（ＳＡ、Ａｄｄｒｅｓｓ２）の一つがＳＴＡの属したＡＰ／ＢＳＳのＢＳＳ  ＩＤと一致すれば、ＳＴＡのＢＳＳであると判断する。１１ａｃである場合、ＵＬ  ＰＰＤＵの場合、ＨＥ−ＳＩＧＡにあるｐａｒｔｉａｌ  ＡＩＤがＳＴＡの属したＡＰ／ＢＳＳのＢＳＳ  ＩＤ（例えば、ＬＳＢ  ９ｂｉｔｓ）と一致すれば、ＳＴＡのＢＳＳに属したＳＴＡ／ＡＰが送信したパケットであると判断する。レガシーＰＰＤＵに対し、空間再使用（ｓｐａｔｉａｌ  ｒｅｕｓｅ）は前記で定義した二つの方法の一つを用いることができる。
【００８２】
一方、１１ａｘ  ＰＰＤＵを送信するときにも、前述したように、ＲＴＳ／ＣＴＳを用いてＰＰＤＵを保護することができる。ただ、ＲＴＳ／ＣＴＳがレガシーフレームであるため、前述した実施形態による場合、ＲＴＳ／ＣＴＳなしに送信するときより空間再使用率が低まる問題が発生し得る。
【００８３】
例えば、該当のＰＰＤＵがＯＢＳＳのものであり、測定された信号レベルが１１ａｘ  ＣＣＡレベルとレガシーＣＣＡレベルの間にあれば、ＲＴＳ／ＣＴＳがある場合、ＮＡＶによって該当の媒体はビジー（ｂｕｓｙ）に設定するが、ＲＴＳ／ＣＴＳがない場合には、１１ａｘ  ＣＣＡレベルを満たすことができなくて、アイドル（ｉｄｌｅ）と判断して空間再使用が可能である。
【００８４】
前述したような問題を解決するために、本発明の一実施形態では、ＲＴＳ／ＣＴＳによって設定されたＴＸＯＰ区間で送信されるＰＰＤＵの類型が１１ａｘ  ＰＰＤＵである場合、次のような方法を提案する。
【００８５】
図１０は本発明の一実施形態による該当のチャネルの使用可否を判断する方法を説明するための図である。
【００８６】
ＲＴＳ／ＣＴＳによって設定されたＴＸＯＰ区間で１１ａｘ  ＰＰＤＵが送信されれば、この実施形態では、ＲＴＳ／ＣＴＳによって設定されたＮＡＶにかかわらず、１１ａｘ  ＣＣＡレベル（第１ＣＣＡレベル）を適用してチャネルのアイドル（ｉｄｌｅ）／ビジー（ｂｕｓｙ）を決定することができる。
【００８７】
具体的に、図９に示したように、まず該当のＰＰＤＵの受信強度が１１ａｘ  ＣＣＡレベル以上であるかを判定することができる（Ｓ９１０）。該当のＰＰＤＵの受信強度が１１ａｘ  ＣＣＡレベル以上である場合、該当の媒体をビジー（ｂｕｓｙ）と判定する（Ｓ９２０）。
【００８８】
検出されたＰＰＤＵの受信強度が１１ａｘ  ＣＣＡレベルより小さい場合、この実施形態では、該当のＰＰＤＵが自分のＢＳＳのＰＰＤＵであるかをさらに判定することができる（Ｓ９３０）。自分のＰＰＤＵであるかを判定する方法は前述したようである。該当のＰＰＤＵが自分のＢＳＳのＰＰＤＵであると判定される場合、該当の媒体はビジー（ｂｕｓｙ）と判定することができる（Ｓ９２０）。
【００８９】
該当のＰＰＤＵの受信強度が１１ａｘ  ＣＣＡレベルより小さく、自分のＢＳＳのＰＰＤＵではない場合、該当のＰＰＤＵをレガシーＣＣＡレベルと比較する必要なしにアイドル（ｉｄｌｅ）と判定することができる（Ｓ９４０）。このように、該当の媒体がアイドル（ｉｄｌｅ）であると判定される場合、既存に比べ、空間再使用率を効率的に高めることができる。
【００９０】
図１１は本発明の好適な一実施形態によるＲＴＳ／ＣＴＳフレーム受信による動作を説明するための図である。
【００９１】
ＨＥＷ（１１ａｘ）ＳＴＡは、前述したように、ＨＥＷ  ＰＰＤＵ（つまり、１１ａｘ  ＰＰＤＵ）を受信したときには１１ａｘ  ＣＣＡレベル（例えば、高ＣＣＡレベル）を適用し、レガシーＰＰＤＵ（つまり、ｎｏｎ−１１ａｘ  ＰＰＤＵ）を受信したときにはレガシーＣＣＡレベル（例えば、低ＣＣＡレベル）を適用することで媒体の使用可否を判定することができる。ここで、１１ａｘ  ＣＣＡレベルはレガシーＣＣＡレベルより高い値の一つに設定されることを仮定し、説明の便宜上、この実施形態ではレガシーＣＣＡレベルは２０ＭＨｚに対して−８２ｄＢｍ、１１ａｘ  ＣＣＡレベルは−７２ｄＢｍを使うことを仮定し、媒体がアイドル（ｉｄｌｅ）／ビジー（ｂｕｓｙ）であるかを決定することに説明する。
【００９２】
また、この実施形態で、ＲＴＳ／ＣＴＳフレームは既存のようにＮＯＮ＿ＨＴ  ＰＰＤＵ形態（Ｌ−ＳＴＦ＋Ｌ−ＬＴＦ＋Ｌ−ＳＩＧ＋ＰＳＤＵ）で送信され、レガシーＰＰＤＵとして処理することを仮定する。
【００９３】
これによるこの実施形態の１１ａｘ  ＳＴＡがＲＴＳを受けたとき、ＲＴＳはＮＯＮ＿ＨＴ  ＰＰＤＵ形態であるので、該当のレガシーＣＣＡレベル（第２ＣＣＡレベル）を満たすか（例えば、＞＝−８２ｄＢｍ）を確認することができる（Ｓ１０１０）。仮に、ＲＴＳの受信強度がレガシーＣＣＡレベルより小さな場合、該当の媒体はアイドル（ｉｄｌｅ）と判定することができる（Ｓ１０２０）。この場合、該当の媒体を用いた空間再使用が可能であろう。
【００９４】
仮に、受信されたＲＴＳの受信強度がレガシーＣＣＡレベル（−８２ｄＢｍ）と同一であるかそれより大きければ、該当のチャネルはビジー（ｂｕｓｙ）に設定し、ＳＴＡはＲＴＳ  ＰＳＤＵのｄｕｒａｔｉｏｎ情報によってＮＡＶをアップデートすることができる（Ｓ１０３０）。
【００９５】
ＲＴＳ受信後、ＳＩＦＳ後にＣＴＳを受信する場合（Ｓ１０４０）についての説明は以下に後述する。まず、ＲＴＳ受信後、ＳＩＦＳ後にＣＴＳを受信することができない場合（Ｓ１０４０）について説明する。
【００９６】
ＣＴＳを受信することができない場合、所定期間内にＲＴＳに対応するＰＰＤＵを受信するかを判定することができる（Ｓ１０５０）。ここで、所定期間は［（２×ａＳＩＦＳＴｉｍｅ）＋（ＣＴＳ＿Ｔｉｍｅ）＋ａＰＨＹ−ＲＸ−ＳＴＡＲＴ−Ｄｅｌａｙ＋（２×ａＳｌｏｔＴｉｍｅ）］期間であってもよいが、これに限定される必要はない。具体的に、前記所定期間内に、ＰＨＹ−ＲＸＳＴＡＲＴ．Ｉｎｄｉｃａｔｉｏｎ  ｐｒｉｍｉｔｉｖｅが検出できない場合、すなわちＲＴＳに対応するＰＰＤＵを受信することができない場合（Ｓ１０５０）、前述したように設定されたＮＡＶをリセットし、該当の媒体を再びアイドル（ｉｄｌｅ）に設定することができる（Ｓ１０２０）。この場合、やはり従来に比べて空間再使用率を高めるのに寄与することができる。  
【００９７】
一方、ＣＴＳ受信なしで、所定期間内に、プリアンブルが検出され、ＰＨＹヘッダーが成功的に受信されれば、該当のＰＰＤＵが１１ａｘ  ＰＰＤＵであるかｌｅｇａｃｙ  ＰＰＤＵであるかを確認することができる（Ｓ１０６０）。仮に、該当のＰＰＤＵがレガシーＰＰＤＵである場合、該当のチャネルはビジー（ｂｕｓｙ）と判定されることができる（Ｓ１０８０）。あるいは、図１０を参照して前述したように、該当のＰＰＤＵが自分のＢＳＳの１１ａｘ  ＰＰＤＵの場合にも該当のチャネルをビジー（ｂｕｓｙ）に設定することが好ましい。
【００９８】
自分のＢＳＳのＰＰＤＵであるかを確認する方法は、ＵＬの場合、Ｐａｒｔｉａｌ  ＡＩＤが自分のＰＢＳＳＩＤと一致するかによって、ＤＬの場合、ＰＨＹヘッダー（例えば、プリアンブル／ＳＩＧフィールド）のＣＯＬＯＲフィールド値が自分のＢＳＳのＣＯＬＯＲフィールド値と同一であるかによって確認することができる。
【００９９】
仮に、自分のＢＳＳに属しない１１ａｘ  ＰＰＤＵであり、ＲＳＳＩが１１ａｘ  ＣＣＡレベル（例えば、−７２ｄＢｍ）と同一であるかそれより大きければ、この場合も該当のチャネルをビジー（ｂｕｓｙ）に設定／維持ことがある。
【０１００】
仮に、自分のＢＳＳに属しない１１ａｘ  ＰＰＤＵであり、ＲＳＳＩが１１ａｘ  ＣＣＡレベル（−７２ｄＢｍ）より小さければ、該当のチャネルはアイドル（ｉｄｌｅ）に設定することができる。この場合、ＲＴＳによって設定したＮＡＶを再設定し、空間再使用に用いられることができる。
【０１０１】
ＲＴＳ／ＣＴＳ基盤の動作においても、前記で定義したレガシーフレームで適用した方法が用いられることができる。すなわち、ＲＴＳ／ＣＴＳがレガシーフレームから送信されても、他のＢＳＳから送信されたフレームと判断されれば、ＨＥ−ＣＣＡレベルを用いてアイドル（ｉｄｌｅ）又はビジー（ｂｕｓｙ）を決定する。例えば、測定されたＲＳＳＩがＨＥ／１１ａｘ  ＣＣＡレベルより小さく、他のＢＳＳで送信されたフレームであれば、該当のフレーム区間又はフレームで示されたＴＸＯＰ区間の間にチャネルを再使用することができる。
【０１０２】
一方、ＲＡが自分の住所ではないＲＴＳ受信した後、ＳＩＦＳ後にＣＴＳが受信（＞＝−８２ｄＢｍ）されれば、図１１に示したようなオプションのいずれか一つを使うことができる。
【０１０３】
オプション１：ＣＴＳの情報に基づいてＮＡＶをアップデートする。
【０１０４】
オプション２：受信されたＣＴＳのＲＳＳＩが１１ａｘ  ＣＣＡレベルと同一であるかそれより大きければ、ＲＴＳ及びＣＴＳによって設定されたＮＡＶを維持し、ＣＴＳのＲＳＳＩが１１ａｘ  ＣＣＡレベルより低ければ、前記所定期間内に１１ａｘ  ＰＰＤＵが受信されるかを確認することができる。仮に、ｌｅｇａｃｙ  ＰＰＤＵが受信されるか自分のＢＳＳの１１ａｘ  ＰＰＤＵが受信されれば、該当のチャネルはビジー（ｂｕｓｙ）に設定し、ＮＡＶを維持することができる。また、自分のＢＳＳの１１ａｘ  ＰＰＤＵではないが１１ａｘ  ＣＣＡレベルより大きいＰＰＤＵであれば、該当のチャネルをビジー（ｂｕｓｙ）に設定することができる。また、自分のＢＳＳに属しなく、１１ａｘ  ＣＣＡレベルより小さければ、該当のチャネルはアイドル（ｉｄｌｅ）に設定し、ＮＡＶを再設定した後、空間再使用が可能である。
【０１０５】
下記の表４は前述したような媒体可用性判断方法をまとめたものである。
【０１０６】
【表４】
0006321283.tif 000006
前述した実施形態で、ＲＴＳが受信され、所定期間内にＰＰＤＵが受信されれば、ＰＨＹヘッダーの受信成功によってＰＨＹ−ＲＸＳＴＡＲＴ．Ｉｎｄｉｃａｔｉｏｎが下記のように発行されることができる。
【０１０７】
場合１：下記の条件のいずれか一つが満たされる場合、ＰＨＹ−ＲＸＳＴＡＲＴ．Ｉｎｄｉｃａｔｉｏｎ（ＲＸＶＥＣＴＯＲ）プリミティブが発生されることができる。
【０１０８】
条件１：自分のＢＳＳに属するＰＨＹヘッダー受信成功
条件２：他のＢＳＳに属するＰＨＹヘッダーを受信するが、該当の受信が１１ａｘの最小ＣＣＡ敏感度を満たすか超える
すなわち、他のＢＳＳに属するＰＨＹヘッダーを受信し、該当の受信が１１ａｘ  ＣＣＡ敏感度を満たさない場合、ＰＨＹ−ＲＸＳＴＡＲＴ．Ｉｎｄｉｃａｔｉｏｎプリミティブは発行されなく、この場合、ＲＴＳによって設定されたＮＡＶは再設定させることができる。
【０１０９】
ＲＴＳ受信後、ＣＴＳ受信が１１ａｘ最小ＣＣＡ敏感度レベルを超えない場合にも、前記場合１と同様に適用されることができる。
【０１１０】
一方、本発明の他の一態様で、ＭＡＣに基づいて空間再使用を行う方法を説明する。
【０１１１】
ＳＴＡはＲＴＳの発信地住所／目的地住所によって、自分のＢＳＳ  ＰＰＤＵであるか他のＢＳＳ  ＰＰＤＵであるかが分かる。
【０１１２】
これによる一実施例で、他のＢＳＳのＲＴＳのみ受信された場合、ＲＴＳのＲＳＳＩが１１ａｘ  ＣＣＡレベルより低ければ、所定期間内のＰＰＤＵの受信有無に関係なくＮＡＶを再設定し、空間再使用を遂行することができる。
【０１１３】
さらに、所定期間内のＰＰＤＵを受信し、ＰＰＤＵが１１ａｘ  ＰＰＤＵである場合のみＮＡＶを再設定し、空間再使用に該当のチャネルを用いることもできる。
【０１１４】
一方、本発明の他の一例では、他のＢＳＳに相当するＲＴＳ及びＣＴＳシーケンスが受信され、二つのフレームのＲＳＳＩが１１ａｘ  ＣＣＡレベルより低い場合、一番目のオプションとして、ＮＡＶを再設定し、空間再使用に用いることができる。さらに、前記所定期間内に受信されたＰＰＤＵが１１ａｘ  ＰＰＤＵの場合にのみＮＡＶを再設定するように制限することもできる。また、二番目のオプションとしてＣＴＳが受信されれば、ＲＴＳ／ＣＴＳに基づいてＮＡＶを設定することもできる。
【０１１５】
一方、本発明のさらに他の一例では、自分のＢＳＳのＲＴＳを受信すれば、レガシー動作を遂行するようにすることもできる。
【０１１６】
前述したように、ＲＴＳ／ＣＴＳプロシージャによる方法で、１１ａｘ  ｆｒａｍｅではなくてレガシーフレームが受信された場合、他のＢＳＳのフレームである場合に空間再使用率を高めるため、レガシーフレームに対し、ＨＥ−ＣＣＡレベルを適用してチャネルがアイドル（ｉｄｌｅ）／ビジー（ｂｕｓｙ）であるかを判断することができる。他のＢＳＳであり、ＨＥ  ＣＣＡレベルより低い場合、アイドル（ｉｄｌｅ）に設定し、フレーム伝送区間又はフレームで設定されたＴＸＯＰ区間の間に空間再使用によってフレーム伝送が可能である。
【０１１７】
前述した実施形態では、ＲＴＳ／ＣＴＳフレームがレガシーフレームである場合を仮定して説明したが、本発明の一実施形態では、１１ａｘ  ＳＴＡが新しい１１ａｘ  ＰＰＤＵフォーマットでＲＴＳ／ＣＴＳを送信するようにすることもできる。
【０１１８】
この実施形態で、ＲＴＳ／ＣＴＳが１１ａｘ  ＰＰＤＵフォーマットであるため、空間再使用は１１ａｘ  ＣＣＡレベルに合わせて行われることができる。すなわち、１１ａｘ  ＣＣＡレベルを満たすことができなく、自分のＢＳＳに属したＰＰＤＵではなければ、空間再使用を行うことができる。一方、この場合にも、１１ａｘ  ＣＣＡレベルを満たすことができなく、自分のＢＳＳに属したＰＰＤＵであれば、該当のチャネルをビジー（ｂｕｓｙ）に設定することもできる。
【０１１９】
このような実施形態でレガシーＳＴＡの動作は次のようである。
【０１２０】
新しいＣＴＳフレームのＬ−ＳＩＧの長さはＴＸＯＰ  ｄｕｒａｔｉｏｎ情報が含まれることができる。したがって、新しいＣＴＳを受信したレガシーＳＴＡはＣＴＳのＬ−ＳＩＧの情報（例えば、長さフィールド）によってＮＡＶを設定することができる。
【０１２１】
新しいＲＴＳフレームのＬ−ＳＩＧの長さは新しいＣＴＳフレームの受信までの長さを含むので、新しいＲＴＳフレームを受信したレガシーＳＴＡはＬ−ＳＩＧが示すシンボルまでチャネル接続を中止することができる。
【０１２２】
１１ａｘ  ＰＨＹヘッダー（例えば、プリアンブル／ＳＩＧフィールド）に自分のＢＳＳ情報が含まれることができる。すなわち、ＰＨＹヘッダー内にＢＳＳ情報を示すＣＯＬＯＲフィールド情報又は部分ＢＳＳ  ＩＤが含まれて送信されることができる。
【０１２３】
一方、ＰＰＤＵがＶＨＴ  ＵＬ  ＰＰＤＵの場合、ＳＩＧ−ＡのグループＩＤが０に、部分ＡＩＤは部分ＢＳＳＩＤ（９ｂｉｔｓ）に設定されることができる。１１ａｘ  ＳＴＡは、ＶＨＴ  ＵＬ  ＰＰＤＵを受けたとき、ＳＩＧ−Ａに基づいて自分のＢＳＳに属した伝送であるか否かを判断することができる。この場合、１１ａｘ  ＳＴＡは空間再使用のため、ＶＨＴ  ＵＬ  ＰＰＤＵに対して１１ａｘ  ＣＣＡ敏感度レベルを適用して空間再使用を決定することができる。
【０１２４】
例えば、入って来たＶＨＴ  ＵＬ  ＰＰＤＵが１１ａｘ  ＣＣＡ敏感度レベルを超えないとき（１１ａｃ  ＣＣＡレベルを超えた場合）、自分のＰＢＳＳＩＤと一致すれば、該当のチャネルをビジー（ｂｕｓｙ）に設定し、そうではなければ、空間再使用によってフレームを送信することができる。
【０１２５】
すなわち、ＳＴＡがＶＨＴ  ＰＰＤＵを受けたとき、グループＩＤが０であれば、１１ａｘ  ＣＣＡ敏感度レベルを用いてＣＣＡを判断することができる。１１ａｘ  ＣＣＡ敏感度レベルに基づく判定でアイドル（ｉｄｌｅ）であれば、ＰＢＳＳＩＤに基づいてビジー（ｂｕｓｙ）／アイドル（ｉｄｌｅ）を判断することができる。
【０１２６】
一方、１１ａｘ  ＳＴＡがレガシープリアンブルを検出したとき（例えば、ＤＬ  ｆｒａｍｅ  ｏｆ  １１ａｃ、ＤＬ／ＵＬ  ｆｒａｍｅ  ｏｆ  １１ａ／ｎ）、レガシーＣＣＡ敏感度レベル値が使われることができる（例えば、主チャネルに対して−８２ｄＢｍ、補助チャネルに対して−７２ｄＢｍ）。
【０１２７】
また、ＲＴＳ／ＣＴＳがレガシーフレームである場合、レガシーｃｃａ値が使われ、ＮＡＶ動作が使われることができる。
【０１２８】
一方、前述したような説明を同じＥＳＳ内での動作に次のように確張することができる。
【０１２９】
前述したような実施形態では、検出されたＰＰＤＵが同じＳＳのＰＰＤＵではなく、ＣＣＡレベルを満たすことができなければ、空間再使用を行うものに説明した。これは、他のＢＳＳの伝送に影響（伝送に干渉やエラー）を与えることができ、同じＯＢＳＳが同じＥＳＳに属すれば、ネットワーク性能の低下を発生させることができる問題があり得る。
【０１３０】
よって、本発明の一実施形態では、同じＥＳＳ属したＢＳＳで送信されたＰＰＤＵを低ＣＣＡレベル（例えば、レガシーＣＣＡレベル）を用いて同じＥＳＳでの伝送をもっと保護することができる。
【０１３１】
具体的に、ＤＬでは、同じＥＳＳに属したＢＳＳに対しては同じＣＯＬＯＲ値に設定することができる。これはネットワーク管理者によって設定されることができる。
【０１３２】
また、ＵＬでは、一番目のオプションとして、９ビットの部分ＡＩＤの一つのビットＭＳＢ（又はＬＳＢ）がＥＳＳに属するか否かを示すことができる。ＥＳＳ  ｉｎｄｉｃａｔｉｏｎビットが１（つまり、ＥＳＳに属することを示す場合）の場合、ＰＰＤＵを受けた１１ａｘ  ＳＴＡは同じＥＳＳに属すると判断し、より低いＣＣＡレベルを適用して媒体のビジー（ｂｕｓｙ）／アイドル（ｉｄｌｅ）を判断することができる。
【０１３３】
さらに他のオプションとして、ＡＰは同じＥＳＳに属するＢＳＳリスト情報をフレーム（Ｂｅａｃｏｎ／Ｐｒｏｂｅ  Ｒｅｓｐｏｎｓｅ／Ａｓｓｏｃｉａｔｉｏｎ  Ｒｅｓｐｏｎｓｅ）を介してＳＴＡに知らせることができる。部分ＢＳＳＩＤ情報によって、同じＥＳＳに属するかが分かり、同じＥＳＳでの伝送であれば、より低いＣＣＡレベル（例えば、レガシーＣＣＡレベル）を適用して媒体のビジー（ｂｕｓｙ）／アイドル（ｉｄｌｅ）を判断することができる。
【０１３４】
また、本発明のさらに他の一実施形態では、同じＥＳＳの伝送を保護（ＥＳＳ  ｐｒｏｔｅｃｔｉｏｎ）するか否かが選択されることができる。該当の情報がビーコン、プロブ応答、又は連関応答（Ａｓｓｏｃｉａｔｉｏｎ  ｒｅｓｐｏｎｓｅ）フレームを介してＳＴＡに送信されることができる。ＥＳＳ保護が設定されていれば、ＥＳＳに属する伝送に対し、低ＣＣＡレベルに適用し、そうではなければ、高ＣＣＡレベルを適用してチャネルのアイドル（ｉｄｌｅ）／ビジー（ｂｕｓｙ）を判断することができる。
【０１３５】
図１２は前述したような空間再使用率を高めるための無線ＬＡＮ装置を説明するための図である。
【０１３６】
図１２の無線装置８００は、前述した説明の特定のＳＴＡ、そして無線装置８５０は前述した説明のＡＰに対応することができる。
【０１３７】
ＳＴＡは、プロセッサ８１０、メモリ８２０、送受信部８３０を含むことができ、ＡＰ８５０は、プロセッサ８６０、メモリ８７０及び送受信部８８０を含むことができる。送受信部８３０及び８８０は、無線信号を送信／受信し、ＩＥＥＥ  ８０２．１１／３ＧＰＰなどの物理的階層で実行されることができる。プロセッサ８１０及び８６０は物理階層及び／又はＭＡＣ階層で実行され、送受信部８３０及び８８０に連結されている。プロセッサ８１０及び８６０は前述した干渉制御手順を遂行することができる。
【０１３８】
プロセッサ８１０及び８６０及び／又は送受信部８３０及び８８０は特定の集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、他のチップセット、論理回路及び／又はデータプロセッサを含むことができる。メモリ８２０及び８７０はＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリー、メモリカード、記憶媒体及び／又は他の記憶ユニットを含むことができる。一実施例がソフトウェアによって実行されるとき、前述した方法は前述した機能を果たすモジュール（例えば、プロセス、機能）によって実行されることができる。前記モジュールはメモリ８２０、８７０に記憶されることができ、プロセッサ８１０、８６０によって実行されることができる。前記メモリ８２０、８７０は前記プロセッサ８１０、８６０の内部又は外部に配置されることができ、よく知られた手段を介して前記プロセッサ８１０、８６０に連結されることができる。
【０１３９】
前述したように開示した本発明の好適な実施形態についての詳細な説明は当業者が本発明を具現して実施することができるように提供された。前記では本発明の好適な実施形態に基づいて説明したが、当該技術分野の熟練した当業者は前述した説明から本発明を多様に修正及び変更することができることを理解することが可能であろう。よって、本発明はこれに開示した実施形態に制限されるものではなく、ここに開示した原理及び新規の特徴と一致する最広の範囲を付与しようとするものである。
【産業上の利用可能性】
【０１４０】
前述したような本発明はＩＥＥＥ  ８０２．１１に基づく無線ＬＡＮシステムに適用されるものを仮定して説明したが、これに限定される必要はない。本発明は無線器機の間のＣＣＡに基づく動作又はこれと同等な動作が適用される多様な無線システムに同一の方式で適用されることができる。
【図１】
0006321283.tif 000007
【図２】
0006321283.tif 000008
【図３】
0006321283.tif 000009
【図４】
0006321283.tif 000010
【図５】
0006321283.tif 000011
【図６】
0006321283.tif 000012
【図７】
0006321283.tif 000013
【図８】
0006321283.tif 000014
【図９】
0006321283.tif 000015
【図１０】
0006321283.tif 000016
【図１１】
0006321283.tif 000017
【図１２】
0006321283.tif 000018